(57)【要約】      （修正有）【課題】電気エネルギーを格納する充電可能な手段を装備する腕時計用の充電デバイスを提供する。【解決手段】電子式又は電気機械式の腕時計２は、腕時計２の電子部品にパワー供給するための電気エネルギーを格納する手段と、及び電気エネルギーを格納する手段にパワー供給するように構成している補助的電気エネルギー源とを装備している。充電デバイス４は、腕時計２の受け台３０を備える小箱１６を有する。充電デバイス４は、さらに、腕時計２が受け台３０上に置かれているときに補助的電気エネルギー源にエネルギーを供給するように構成している少なくとも１つのエネルギー源を有し、これによって、補助的電気エネルギー源は、受けたエネルギーを電気エネルギーに変換し、所定レベルの電源電圧を維持するためのチャージを電気エネルギーを格納する手段へと伝える。【選択図】図１
2019113541.tif 000002
【特許請求の範囲】
【請求項１】
電子式又は電気機械式の腕時計（２）用の充電デバイス（４）であって、
前記腕時計（２）は、前記腕時計（２）の電子部品（１０）にパワー供給するための電気エネルギーを格納する手段（１１）と、及び中間的な機械的な変換なしで、直接電気的に、前記腕時計を充電するための前記電気エネルギーを格納する手段（１１）にパワー供給するように構成している補助的電気エネルギー源（１２）とを装備しており、
当該充電デバイス（４）は、前記腕時計（２）の受け台（３０）を備える小箱（１６）を有し、
当該充電デバイス（４）は、さらに、前記腕時計（２）が受け台（３０）に置かれているときに前記腕時計用の補助的電気エネルギー源（１２）にエネルギーを供給するように構成している少なくとも１つのエネルギー源（１８）を有する
充電デバイス（４）。
【請求項２】
前記少なくとも１つのエネルギー源（１８）は、光源であり、
当該充電デバイス（４）は、太陽エネルギーで動く腕時計用の充電デバイスであり、
前記腕時計（２）用の補助的電気エネルギー源（１２）は、発光エネルギーを電気エネルギーに変換するように構成している
請求項１に記載の充電デバイス（４）。
【請求項３】
前記小箱（１６）にマウントされた折れ曲がり部品（２０）を有し、
前記光源（１８）は、少なくとも１つの発光ダイオード（３８）を有し、
前記発光ダイオード（３８）は、前記折れ曲がり部品（２０）が前記小箱（１６）上にて閉じており前記腕時計（２）が前記受け台（３０）上に置かれているときに前記腕時計（２）用の補助的電気エネルギー源（１２）の方に向いているように前記折れ曲がり部品（２０）の内側に固定されている
請求項２に記載の充電デバイス（４）。
【請求項４】
前記腕時計（２）用の補助的電気エネルギー源（１２）の少なくとも１つの所定の特徴に応じて前記光源（１８）の光スペクトルを最適化する手段（２４）を有する
請求項２又は３に記載の充電デバイス（４）。
【請求項５】
前記少なくとも１つのエネルギー源（１８）は、当該充電デバイス（４）の内部にある前記腕時計の２つの所定の部分の間に温度勾配を与えるように構成している熱源であり、
当該充電デバイス（４）は、熱式又は熱電式の腕時計用の充電デバイスであり、
前記腕時計（２）用の補助的電気エネルギー源（１２）は、熱エネルギーを電気エネルギーに変換するように構成している
請求項１に記載の充電デバイス（４）。
【請求項６】
前記熱源（１８）は、アクティブ化されたときに、当該充電デバイス（４）の内側における前記腕時計に温度サイクルを与えるように構成しているアクティブ化可能な熱源である
請求項５に記載の充電デバイス（４）。
【請求項７】
前記熱源（１８）は、規則的なプログラム可能な間隔が空くようにアクティブ化されるように構成している
請求項６に記載の充電デバイス（４）。
【請求項８】
第１の熱源（１８）と第２のエネルギー源（１８）の２つの熱エネルギー源（１８）を有し、
前記第１の熱源（１８）は、前記腕時計（２）が受け台（３０）に置かれているときに前記腕時計（２）の前記ケース（５）の裏側（３２）に接するように前記小箱内に配置されている加熱要素を有しており、
前記第２のエネルギー源（１８）は、前記腕時計（２）が前記受け台（３０）上に置かれているときに前記腕時計（２）のケースミドル部（６）に接するように当該充電デバイス（４）に配置された冷却要素を有する
請求項５に記載の充電デバイス（４）。
【請求項９】
前記腕時計（２）及び／又は前記腕時計（２）用の補助的電気エネルギー源（１２）の少なくとも１つの所定の特徴に応じて当該充電デバイス（４）の内側における熱勾配を最適化する手段（２４）を有する
請求項５〜８のいずれかに記載の充電デバイス（４）。
【請求項１０】
前記小箱（１６）にマウントされた折れ曲がり部品（２０）と、及び前記腕時計（２）の存在及び／又は前記折れ曲がり部品（２０）の閉じを検知するセンサー（２２）とを有し、
前記センサー（２２）は、前記エネルギー源（１８）に接続されており、
前記エネルギー源（１８）は、前記センサー（２２）から受けた検出信号に基づいて前記腕時計（２）用の補助的電気エネルギー源（１２）のために意図されたエネルギーのリリースをトリガーさせるように構成している
請求項１〜９のいずれかに記載の充電デバイス（４）。
【請求項１１】
前記腕時計（２）を保持する箱である
請求項１〜１０のいずれかに記載の充電デバイス（４）。
【請求項１２】
電子式又は電気機械式の腕時計（２）を有するアセンブリー（１）であって、
前記腕時計（２）は、前記腕時計（２）の電子部品（１０）にパワー供給するための電気エネルギーを格納する手段（１１）と、及び中間的な機械的な変換なしで、直接電気的に、前記腕時計を充電するための前記電気エネルギーを格納する手段（１１）にパワー供給するように構成している補助的電気エネルギー源（１２）とを装備しており、
当該アセンブリー（１）は、さらに、前記腕時計（２）用の充電デバイス（４）を有し、
前記充電デバイス（４）は、請求項１〜１１のいずれかに記載の充電デバイスである
アセンブリー（１）。
【請求項１３】
前記電子式又は電気機械式の腕時計（２）は、さらに、前記補助的電気エネルギー源（１２）を前記電気エネルギーを格納する手段（１１）に接続するエネルギー抽出器（１４）を有し、
前記エネルギー源（１８）は、前記腕時計（２）が受け台（３０）上に置かれているときに、前記補助的電気エネルギー源（１２）にエネルギーを供給するように構成しており、これによって、受けたエネルギーを前記補助的電気エネルギー源（１２）が前記エネルギー抽出器（１４）によって電気エネルギーに変換する
請求項１２に記載のアセンブリー（１）。
【発明の詳細な説明】
【技術分野】
【０００１】
本発明は、電子式又は電気機械式の腕時計用の充電デバイスに関し、特に、このような腕時計を充電するように構成している電子式又は電気機械式の腕時計用の箱に関する。
【０００２】
本発明は、さらに、充電デバイスと、及び電子式又は電気機械式の腕時計とを有するアセンブリーに関し、これは、一方では、腕時計の電子部品にパワー供給するための電気エネルギーを格納する手段を有し、他方では、充電するために前記電気エネルギーを格納する手段にパワー供給するように構成している補助的電気エネルギー源を有する。
【背景技術】
【０００３】
機械式腕時計は、手動で巻かれたり自動的に巻かれたりすることができる。機械式腕時計用の自動巻きの利点は、人の手首に装着されているときに振動する錘を介して腕時計が自身で自動的に巻き戻すということである。したがって、腕時計は、規則的に着用されていれば止まることはない。腕時計が着用されているかぎり、人が毎日運動するために、腕時計は止まらない。この機械式腕時計の分野において、着用されていないときにも自動巻き機械式腕時計の運動を続けさせることを可能にするワインダーと呼ばれるデバイスが知られている。このようなワインダーは、例えば、箱の形をしており、通常、モーターに接続された振動手段を有する。これによって、腕時計をゆっくりと回転させ、その際、振動する錘を介して腕時計のメインばねをリロードさせる。このように、このようなワインダーは、腕時計が止まることを防ぎ、そして、腕時計が一定の振幅で稼働し続けて良好に時間を維持することを可能にする。国際特許出願ＷＯ２０１２／１２６９７８Ａ１は、例えば、このような機械式腕時計用のワインダーについて記載している。しかし、このような機械式腕時計用のワインダーの短所は、自律的な形態で充電可能な電気エネルギーの格納手段を装備している電子式又は電気機械式の腕時計の充電を可能にしないということである。このような電子式又は電気機械式の腕時計は、典型的には、太陽エネルギーで動く腕時計であったり、さらには、熱式又は熱電式の腕時計であったりすることができる。
【０００４】
太陽エネルギーで動く腕時計の場合、太陽エネルギーは、典型的には、腕時計用の補助的電気エネルギー源の役割を果たす光電池によって電気エネルギーに変換される。光電池は、電気エネルギー用の蓄電池に接続され、電気エネルギーによって、腕時計のムーブメントが動作する。腕時計が引き出しの中や貸金庫の中のような光のない場所に保管されていると、電池を充電することができくなり、電池の残量がなくなると腕時計が停止する。腕時計が完全に放電することを防ぐために、着用されていないときに腕時計を照明が照らされているところに保管する方法が知られている。しかし、このような手法は、信頼性が低く、比較的制約が多い。なぜなら、このような照らされるところを利用可能であるとは限らないからである。
【０００５】
例えば、熱電ジェネレーターを備える熱式又は熱電式の腕時計の場合には、腕時計を着用している人の体からの熱損失のおかげで腕時計が動作する。熱電ジェネレーターは、補助的電気エネルギー源の役割を果たし、これらの熱損失を電気エネルギーに変換して、電池にパワー供給する。電池に格納されたエネルギーによって、特定の期間、腕時計を動作させることが可能になる。しかし、腕時計が着用されていない場合には、電池は放電され、このことによって、特定の期間の後に電池を完全に放電させてしまい、したがって、腕時計のムーブメントを止めてしまうことがある。
【発明の概要】
【発明が解決しようとする課題】
【０００６】
このような状況で、本発明の目的は、容易かつ制約がない手法で腕時計用の電気エネルギーを格納する手段が自動的に充電されることを可能にし、従来技術の前記短所を改善することができるような、電気エネルギーを格納する充電可能な手段を装備する電子式又は電気機械式の腕時計用の充電デバイスを提供することである。
【課題を解決するための手段】
【０００７】
このような状況で、本発明は、電子式又は電気機械式の腕時計用の充電デバイスに関する。この腕時計は、前記腕時計の電子部品にパワー供給するための電気エネルギーを格納する手段と、及び前記腕時計を充電するための前記電気エネルギーを格納する手段にパワー供給するように構成している補助的電気エネルギー源とを装備している。この充電デバイスは、独立請求項１に記載された特徴を有する。
【０００８】
従属請求項２〜１１に、当該充電デバイスの特定の形態が定められている。
【０００９】
本発明に係る充電デバイスの利点は、このデバイスが、腕時計が受け台上に置かれているときに補助的電気エネルギー源にエネルギーを供給するように構成している少なくとも１つのエネルギー源を有するということに基づいている。このように、補助的電気エネルギー源は、中間的な機械的な変換を経由せずに受けたエネルギーを直接電気エネルギーに変換し、そして、所定レベルの電源電圧を維持するために電気エネルギーを格納する手段へとチャージを伝える。このことによって、腕時計が着用されていないときに、容易かつ制約されない形態で、電気エネルギーを格納する手段を自動的に充電することが可能になる。本発明に係る充電デバイスは、好ましいことに、腕時計の完全な放電を回避し、したがって、そのような放電に起因して発生する時刻及び／又は日付のずれを回避することができる。
【００１０】
本発明に係る充電デバイスの別の利点として、腕時計を充電するために腕時計と充電デバイスの間の直流電気的な接触を必要としないということがある。そして、腕時計の充電が特に容易な手法で行われる。
【００１１】
本発明の第１の実施形態によると、前記少なくとも１つのエネルギー源は、光源であり、前記充電デバイスは、太陽エネルギーで動く腕時計用の充電デバイスである。この腕時計用の補助的電気エネルギー源は、発光エネルギーを電気エネルギーへと変換するように構成している。
【００１２】
好ましくは、当該充電デバイスは、腕時計用の補助的電気エネルギー源の少なくとも１つの所定の特徴に応じて光源の光スペクトルを最適化する手段を有する。このことによって、光源の光スペクトルを、腕時計用の補助的電気エネルギー源のパフォーマンスに適合させることができ、これによって、充電デバイスが最小限しか消費せずに、腕時計の最適な充電が可能になる。また、光スペクトルには赤外線部分がないようにすることができる。このような赤外線部分は、腕時計を加熱してしまうことがあり、また、時間が経過すると、腕時計や充電デバイスを劣化させてしまうことがある。
【００１３】
本発明の第２の実施形態によると、前記少なくとも１つのエネルギー源は、充電デバイスの内側において温度勾配を与えるように構成している熱源であり、この充電デバイスは、熱式又は熱電式の腕時計用の充電デバイスであり、前記腕時計用の補助的電気エネルギー源は、熱エネルギーを電気エネルギーに変換するように構成している。
【００１４】
好ましくは、当該充電デバイスは、腕時計の少なくとも１つの所定の特徴及び／又は腕時計用の補助的電気エネルギー源に応じて当該充電デバイスの内側における熱勾配を最適化する手段を有する。このことによって、当該充電デバイスの内側において与えられる熱勾配を、腕時計の構造及び／又は腕時計用の補助的電気エネルギー源のパフォーマンスに適合させることができ、これによって、充電デバイスによる消費が最小限で、腕時計の最適な充電が可能になる。
【００１５】
好ましくは、当該充電デバイスは、小箱にマウントされた折れ曲がり部品と、及び腕時計の存在及び／又は折れ曲がり部品の閉じを検知するセンサーとを有する。このセンサーは、エネルギー源に接続している。このエネルギー源は、センサーから受けた検出信号に基づいて腕時計用の補助的電気エネルギー源のために意図されたエネルギーのリリースをトリガーするように構成している。これによって、腕時計が受け台上に配置されたとき及び／又は折れ曲がり部品が閉じられたときから、腕時計を充電するプロセスを完全に自動化させることが可能になる。
【００１６】
好ましくは、この電子式又は電気機械式の腕時計は、さらに、補助的電気エネルギー源を電気エネルギーを格納する手段に接続するエネルギー抽出器を有する。このエネルギー源は、腕時計が受け台上に置かれているときに補助的電気エネルギー源にエネルギーを供給するように構成している。これによって、前記補助的電気エネルギー源は、受けたエネルギーをエネルギー抽出器によって電気エネルギーに変換する。このことによって、エネルギー源からのエネルギーの抽出とその電荷への変換が促進され、これによって、腕時計用の電気エネルギーを格納する手段にこれらの電荷を蓄積する。
【００１７】
このために、本発明は、さらに、上記の充電デバイスを有し従属請求項１２に記載の特徴を有するアセンブリーに関する。
【００１８】
従属請求項１３に、当該アセンブリーの特定の形態が定められている。
【００１９】
図示している少なくとも１つの実施形態（これに限定されない）に基づく以下の説明を読むことによって、電子式又は電気機械式の腕時計用の充電デバイス及びそのアセンブリーの目的、利点及び特徴が明確になるであろう。
【図面の簡単な説明】
【００２０】
【図１】電子式又は電気機械式の腕時計と、及び箱の形態である本発明に係る充電デバイスとを有するアセンブリーの斜視図である。
【図２】図示している実施形態に係る腕時計の電子部品と図１における充電デバイスの単純化されたブロック図である。
【図３】本発明の第１の実施形態に係る太陽エネルギーで動く腕時計用の充電デバイスの斜視図である。
【図４】本発明の第２の実施形態に係る熱式又は熱電式の腕時計用の充電デバイスの一部の鉛直方向の断面図である。
【発明を実施するための形態】
【００２１】
以下においては、電子式又は電気機械式の腕時計用の充電デバイス、特に、電子式又は電気機械式の腕時計用の箱、に基づいて説明する。当業者によく知られている充電デバイスの電子部品についてはすべて、単純化した形態でしか説明しない。具体的には、当業者であれば、これらの異なる電子部品を適応させて、当該充電デバイスの動作のために連係させることができるであろう。
【００２２】
図１及び２は、電子式又は電気機械式の腕時計２と、及びこの腕時計２を充電するための充電デバイス４とを有するアセンブリー１を示している。電子式又は電気機械式の腕時計２は、腕時計ケース５を装備している。腕時計ケース５は、ケースミドル部６を有する。腕時計ケース５は、通常の構造の腕時計用ムーブメント（図示せず）の他に、針８などによって形成している表示手段が上で動く表盤７を包囲している。表盤７は、腕時計ケース５を閉じる風防９によって保護されている。また、腕時計ケース５は、伝統的な方法で、電源を必要とする電子部品１０と、さらには、腕時計２の電子部品１０にパワー供給する電気エネルギーを格納する手段１１とを囲んでいる。腕時計２は、さらに、腕時計２を充電するために電気エネルギーを格納する手段１１にパワー供給するように構成している補助的電気エネルギー源１２を有する。補助的電気エネルギー源１２は、腕時計ケース５の内部に配置していることができ、また、１つの実施形態として、腕時計ケース５の外側上に配置していることができ、例えば、腕時計の風防９又はケースミドル部６又は腕輪上に配置されていることができる。好ましくは、図２に示しているように、腕時計２は、さらに、補助的電気エネルギー源１２を電気エネルギーを格納する手段１１に接続するエネルギー抽出器１４を有する。腕時計２は、例えば、石英腕時計又はハイブリッド機械式腕時計であるが、そうでないとしても、本発明の文脈の制約を受ける。
【００２３】
充電デバイス４は、小箱１６を有する。図１に示している例において、充電デバイス４は、腕時計２を保持する箱である。しかし、このことは、本発明の文脈に関連して何ら制約を受けるものではなく、充電デバイス４は、１つの実施形態として、箱ではなく小箱（キャスケット）を有する他の形態についても採用することができる。
【００２４】
図２に示しているように、充電デバイス４は、さらに、少なくとも１つのエネルギー源１８を有する。図１に示している実施形態において、充電デバイス４は、小箱１６にマウントされた折れ曲がり部品２０を有する。充電デバイス４が腕時計２を保持する箱である場合に、折れ曲がり部品２０は、典型的には、箱を閉じるための蓋である。図２に示している好ましい説明に役立つ実施形態によると、充電デバイス４は、さらに、腕時計２の存在及び／又は折れ曲がり部品２０の閉じを検知するセンサー２２を有する。好ましくは、充電デバイス４は、さらに、データ解析手段２４、通信手段２６及び電源手段２８を有することができる。
【００２５】
好ましくは、充電デバイス４は、所定のタイプ及び／又は形態の電子式又は電気機械式の腕時計２を収容するように構成している。そのようにするために、小箱１６は、腕時計２のタイプ及び／又は形態に適合する、腕時計２を受ける支持体３０を有する。
【００２６】
下にて詳細に説明するように、エネルギー源１８は、腕時計２が受け台３０上に置かれているときに補助的電気エネルギー源１２にエネルギーを供給するように構成している。これによって、補助的電気エネルギー源１２は、受けたエネルギーを電気エネルギーに変換し、電気エネルギーを格納する手段１１へと所定レベルの電源電圧を維持するためのチャージを伝える。この電気エネルギーの変換は、例えば、エネルギー抽出器１４によって、促進されることができる。したがって、ＬＣタイプの発振回路を有するエネルギー抽出器１４、水晶発振器のような同期信号発振器、及び共通の制御回路などに関連づけられた一又は複数のスイッチによって、補助的電気エネルギー源１２からの電荷の抽出が促進され、これらの電荷が、腕時計２用の電気エネルギーを格納する手段１１に蓄積されることを可能にする。図２に示しているように、電気エネルギーを格納する手段１１は、例えば、電気的なキャパシターである。実施形態の１つにおいて、電気エネルギーを格納する手段１１は、電池である。
【００２７】
腕時計２の存在及び／又は折れ曲がり部品２０の閉じを検知するセンサー２２は、データ解析手段２４に接続され、このデータ解析手段２４はそれ自身、エネルギー源１８に接続されている。腕時計２の存在及び／又は折れ曲がり部品２０の閉じを検知するセンサー２２は、例えば、受け台３０の内側又は外側において、充電デバイス４内にて固定されている。例えば、腕時計の存在を検知するセンサー２２はタッチセンサーであり、これは、例えば、腕時計２が受け台３０上に置かれているときに腕時計ケース５の裏側３２の方を向いているように充電デバイス４内に配置されている。このとき、この受け台３０は、腕時計ケース５の裏側３２の方を向いている。図示していない１つの実施形態において、腕時計２の存在及び／又は折れ曲がり部品２０の閉じを検知するセンサーは、光センサーやカメラのような、腕時計２の針８の位置を検出する光学的システムによって構成している。データ解析手段２４は、例えば、下で詳細に説明するように、センサー２２から受けた検出信号に基づいて腕時計２用の補助的電気エネルギー源１２のために意図されたエネルギー放射プロセスをトリガーさせるように構成している。
【００２８】
図２に示しているように、データ解析手段２４は、さらに、通信手段２６及び電源手段２８に接続されている。データ解析手段２４は、例えば、マイクロプロセッサーによって構成している。より詳細には、マイクロプロセッサーは、時刻基準を格納する。
【００２９】
図２に示しているように、通信手段２６は、例えば、micro USBコネクター（ＵＳＢは、英語のUniversal Serial Busに由来する）３４及び通信用インタフェース３６を有する。micro USBコネクター３４は、電源手段２８に接続され、ＵＳＢフォーマットと互換性がある外部電源を介して電源手段２８の充電を可能にするように意図される。通信用インタフェース３６は、例えば、ユーザーが有益な情報、特に、腕時計２のタイプ又はモデルに関連する情報、を入力することを可能にするタッチスクリーンである。このような情報は、データ解析手段２４まで伝わると、腕時計２用の補助的電気エネルギー源１２の所定の特徴、特に、熱式、ルミナスパワー、光スペクトルの特徴にアクセスすることができる。このことは、例えば、解析手段２４に格納される対応表によって可能になる。
【００３０】
電源手段２８は、特に、通信手段２６がmicro USBコネクター３４を有する場合に、例えば、チャージャー／アキュムレーターアセンブリーを有する。１つの実施形態において、電源手段２８は、充電可能又は充電することができない電池を有する。別の実施形態において、充電デバイス４の電源は、充電デバイス４の接続によって、家庭の電気ネットワークへと供給され、この場合における電源手段２８は、例えば、チャージャー／アキュムレーターアセンブリーを有する。後者の２つの実施形態において、通信手段２６は、micro USBコネクター３４を備えない。
【００３１】
データ解析手段２４、通信手段２６及び電源手段２８はすべて、例えば、共通のプリント回路基板に接続される。このようなプリント回路基板については、わかりやすくするために図示していない。
【００３２】
以下、本発明の第１の実施形態について、図３を参照しながら説明する。この第１の実施形態において、エネルギー源１８は、光源であり、デバイス４は、太陽エネルギーで動く腕時計２用の充電デバイスである。このような太陽エネルギーで動く腕時計２において、補助的電気エネルギー源１２が、発光エネルギーを電気エネルギーに変換するように適応している。補助的電気エネルギー源１２は、例えば、腕時計２の表盤７上などに配置される光電池である。
【００３３】
例えば、光源１８は、少なくとも１つの発光ダイオード３８を有する。図３に示している説明に役立つ実施形態において、光源１８は、折れ曲がり部品２０の内側にて列を作って配置された複数の発光ダイオード３８を有する。より詳細には、発光ダイオード３８は、折れ曲がり部品２０が小箱１６上にて閉まっており腕時計２が受け台３０上に置かれているときに腕時計２用の補助的電気エネルギー源１２の方に向いているように、折れ曲がり部品２０の内側にて固定されている。光源１８は、例えば、データ解析手段２４によってアクティブ化されることができ、恒久的に、又は１つの実施形態において、プログラム可能な規則的な間隔を空けて、アクティブ化されることができるように構成している。
【００３４】
好ましくは、この本発明の第１の実施形態において、充電デバイス４は、さらに、腕時計２用の補助的電気エネルギー源１２の少なくとも１つの所定の特徴に応じて光源１８の光スペクトルを最適化する手段を有する。光スペクトルを最適化する手段は、例えば、データ解析手段２４によって構成しており、これは、腕時計のタイプ又はモデルの情報と補助的電気エネルギー源１２の発光についての所定の特徴の間の対応表を格納することができる。このとき、受け台３０に置かれる腕時計２のタイプ及び／又はモデルに応じて、データ解析手段２４は、この光スペクトルを最適化して腕時計２用の補助的電気エネルギー源１２の発光についての特徴に適応させることを目的に、光源１８の光スペクトルを制御し調整するように構成している。このことによって、デバイス４によって供給されるエネルギーの量を最適化して正確に調整して、腕時計２用の電気エネルギーを格納する手段１１、また、充電デバイスによって消費される電気エネルギーの寿命を延ばすことができる。
【００３５】
以下、本発明の第２の実施形態について、図４を参照しながら説明する。この第２の実施形態において、エネルギー源１８は熱源であり、デバイス４は熱式又は熱電式の腕時計２用の充電デバイスである。このような熱式又は熱電式の腕時計２において、補助的電気エネルギー源１２は、熱エネルギーを電気エネルギーに変換するように構成している。補助的電気エネルギー源１２は、例えば、熱電ジェネレーターである。このような熱電ジェネレーターは、半導体デバイスであり、例えば、Ｐ−Ｎ接合がある半導体デバイスである。このようなＰ−Ｎ接合は、例えば、テルル化ビスマス（Ｂｉ2Ｔｅ3）で作られた要素によって構成している。半導体熱電ジェネレーターは、ゼーベック効果（熱電効果の１つの形態）として知られている現象によって（温度差の形態の）熱流束を直接電気エネルギーに変換するように構成している。このような熱電ジェネレーターは、熱機関のように動作するにもかかわらず、空間を少ししか占めず、可動部品がない。図４に示している例において、熱電ジェネレーター１２は、表盤７と腕時計ケース５の裏部３２の間にて腕時計ケース５内に配置されている。
【００３６】
熱源１８は、充電デバイス４の内部において温度勾配を与えるように構成している。
【００３７】
図４に示している第２の実施形態の第１の変種において、熱源１８は、データ解析手段２４によってアクティブ化されることができる熱源である。熱源１８は、アクティブ化されたときに、デバイス４の内側に対して、温度のサイクル、そして、したがって、熱勾配を適用させるように構成している。好ましくは、熱源１８は、規則的なプログラム可能な間隔が空くようにアクティブ化されるように構成している。図４に示しているこの第１の変種の実施形態において、熱源１８は、例えば、加熱要素４０と、加熱要素４０に直列に接続されている電源４２と、及び腕時計ケース５の裏部３２と接触するフィッティング４４とを有する。加熱要素４０は、例えば、抵抗性の加熱要素、又はさらには、曲がりくねった抵抗要素によって構成している。加熱要素４０は、この変種の実施形態の動作を変更せずに、冷却要素によって置き換えることができる。電源４２は、例えば、電圧源である。フィッティング４４は、受け台３０に属しており、加熱要素４０の方に向いているように構成しており、金属性材料によって構成している。金属性材料は、例えば、アルミニウムである。図４に示しているこの変種の実施形態において、腕時計ケース５の裏部３２は、熱伝導性材料、好ましくは、金属性材料によって作られている。この裏部３２は、熱的絶縁材料で作られた環状領域４６によって腕時計ケース５の残りから分離している。
【００３８】
図示していない第２の実施形態の第２の変種において、充電デバイス４は、２つの熱エネルギー源１８を有する。第１の熱源１８は、腕時計２が受け台３０に置かれているときに腕時計ケース５の裏部３２に接するように小箱１６内に配置された加熱要素を有する。第２のエネルギー源１８は、腕時計２が受け台３０に置かれているときに腕時計２のケースミドル部６に接するようにデバイス４内に配置された冷却要素を有する。このようにして、２つの熱源１８は、デバイス４の内部に一定の熱勾配を与える。加熱要素は、例えば、抵抗性加熱要素、又はさらには、曲がりくねった抵抗要素によって構成している。冷却要素は、例えば、ペルチェ素子やファンのような能動的な冷却要素である。１つの実施形態において、冷却要素は、腕時計２のケースミドル部６に接する、例えば、アルミニウムで作られたラジエーターのような受動的な冷却要素である。
【００３９】
腕時計２のタイプ及び／又はモデル、そして、利用される熱電ジェネレーター１２のタイプに応じて、腕時計２のケースミドル部６と腕時計ケース５の裏部３２の間の熱勾配は、好ましくは、０．１℃〜１０℃の範囲内である。温度測定は、２つの温度計によって行われる。例えば、腕時計２の高温部分、すなわち、裏部３２、に接する第１の温度計と、腕時計２の冷たい部分、すなわち、ケースミドル部６、に接する第２の温度計である。２つの温度計は、例えば、熱電対である。そして、ＰＩＤ（Proportional Integral Derivative）タイプの単純な閉ループシステムが用いられて、デバイス４の内部における熱勾配が調整される。
【００４０】
好ましくは、本発明のこの第２の実施形態において、充電デバイス４は、さらに、腕時計２及び／又は腕時計２用の補助的電気エネルギー源１２の少なくとも１つの所定の特徴に応じてデバイス４の内部における熱勾配を最適化する手段を有する。熱勾配を最適化する手段は、例えば、データ解析手段２４によって構成しており、これは、腕時計のタイプ又はモデルに関する情報と、補助的電気エネルギー源１２の所定の熱特性の間の対応表を格納することができる。受け台３０上に置かれた腕時計２のタイプ及び／又はモデルに応じて、データ解析手段２４は、この熱勾配を最適化し腕時計２用の補助的電気エネルギー源１２の熱的な特徴に適応させることを目的に、熱源１８によって発された熱勾配を制御し調整するように構成している。このことによって、デバイス４によるエネルギー供給量の量を正確に最適化し調整することが可能になり、充電デバイスが最小の消費しかせずに腕時計２用の電気エネルギーを格納する手段１１の寿命を延ばすことができる。
【００４１】
以下、本発明に係る充電デバイス４の動作について説明する。腕時計２は、初期に、充電デバイス４の小箱１６内の受け台３０上に置かれる。
【００４２】
デバイス４によって実装される腕時計２を充電する手順は、ユーザーによって手動的に又は自動的にトリガーされたり開始されたりする。
【００４３】
この手順には、デバイス４のユーザーが通信用インタフェース３６を介して腕時計２のタイプ又はモデルに関連する情報を入力することを伴う初期段階があることができる。１つの実施形態において、腕時計２は、腕時計２用の補助的電気エネルギー源１２に関連する情報、特に、発光又は熱についての特徴、を格納する、チップ、例えば、ＮＦＣ（英語のNear Field Communicationに由来する）タイプのチップ、を装備している、そして、デバイス４は、腕時計２が受け台３０に置かれているときにチップ内のこのような情報を読み取るように構成している。
【００４４】
この手順がユーザーによって手動的にトリガーされる場合には、折れ曲がり部品２０を閉じた後に、ユーザーは、例えば、この手順をトリガーさせるためにボタンを押す。
【００４５】
腕時計２の存在及び／又は折れ曲がり部品２０の閉じを検知するセンサー２２を充電デバイス４が有する場合、充電手順のトリガーは、センサー２２による検知の後に、自動的に行われる。そして、センサー２２は、解析手段２４へと検出信号を送信し、この解析手段２４は、腕時計２を充電する手順をトリガーさせる。
【００４６】
両方の場合に、解析手段２４によって制御される一又は複数のエネルギー源１８は、腕時計２用の補助的電気エネルギー源１２のために意図されたエネルギーのエミッションをトリガーさせる。解析手段２４は、好ましくは、例えば、対応表を介して、腕時計２用の補助的電気エネルギー源１２の所定の特徴、特に、熱的又は発光エネルギー又は光スペクトルの特徴、にアクセスする。そして、解析手段２４は、用いられる補助的電気エネルギー源１２のタイプに応じて、一又は複数のエネルギー源１８によって供給されるエネルギーの量を正確に最適化し調整することができる。そして、補助的電気エネルギー源１２は、受けたエネルギーを電気エネルギーに変換し、電気エネルギーを格納する手段１１へと所定レベルの電源電圧を維持するためのチャージを与える。これによって、充電デバイスによって最小の消費しか消費しないように腕時計２を充電することができる。
【符号の説明】
【００４７】
１  アセンブリー
２  腕時計
４  充電デバイス
５  ケース
６  ケースミドル部
１０  電子部品
１１  電気エネルギーを格納する手段
１２  補助的電気エネルギー源
１４  エネルギー抽出器
１６  小箱
１８  エネルギー源
２０  折れ曲がり部品
２２  センサー
２４  光スペクトルを最適化する手段
３０  受け台
３２  裏側
３８  発光ダイオード
４０  加熱要素
４２  電源
【図１】
2019113541.tif 000003
【図２】
2019113541.tif 000004
【図３】
2019113541.tif 000005
【図４】
2019113541.tif 000006